(57)【特許請求の範囲】
【請求項１】
端板(1)及び側板(2)が各一対連設された周壁及び底壁を備え、端板(1)の上辺から延びる内フラップ(4)及び側板(2)の上辺から延びる外フラップ(6)を折り曲げて封緘し、
開封に際しては、端板(1)を横断して周方向に及ぶ切目線(11a,12a,12b,12c,11b)を切断し、その下方のトレイ部分(21)から上方の蓋部分(22)を除去する包装箱において、
前記端板(1)の上辺に連設された内フラップ(4)には、端板(1)との境界を両端とし中間部が端板(1)との境界から離れた切目線(14a)を入れて、前記端板(1)との境界と切目線(14a)とに囲まれた受止片(14)が形成され、
包装に際しては、受止片(14)を残しつつ、内フラップ(4)を端板(1)の内面に重ねて切目線(11a)を覆い底部へ達するように折り曲げ、外フラップ(6)を受止片(14)で受け止めることを特徴とする包装箱。
【請求項２】
前記端板(1)の内面に重ねて折り曲げられる内フラップ(4)の側部には、根元から先端方向へ延びる側折線(4a)の外側部分に、根元が端板(1)から切り離された折柱部(15)が設けられ、包装に際しては、折柱部(15)を斜め内側へ折り曲げ、外フラップ(6)を受止片(14)に加えて折柱部(15)の上端で受け止めることを特徴とする請求項１に記載の包装箱。
【請求項３】
前記各一対の端板(1)及び側板(2)を高さ方向中間部で横断して切目線(11a,12a)が入れられ、各一対の端板(1)及び側板(2)には、切目線(11a,12a)の中間部に臨んで指入部(13)が設けられると共に、指入部(13)の付近から補助罫線(13c)が上方へＶ字状に広がるように入れられ、開封に際しては、指入部(13)に臨む部分を引っ張ると、端板(1)及び側板(2)が補助罫線(13c)に沿って迫り出すように撓んで、切目線(11a,12a)が切断されることを特徴とする請求項１に記載の包装箱。
【発明の詳細な説明】
【技術分野】
【０００１】
この発明は、周壁に入れられた切目線の切断に伴い開封し、切目線の上方の部分を除去する厚紙製の包装箱に関するものである。
【背景技術】
【０００２】
商品の包装及び展示に兼用できる包装箱として、下記特許文献１には、図１０に示すようなものが記載されている。この包装箱は、端板５１及び側板５２が周壁を形成するように各一対連設され、端板５１及び側板５２の上辺及び下辺からそれぞれ延びる内フラップ５３と外フラップ５４とを折り重ねて封緘される段ボール箱である。
【０００３】
この包装箱において、一方の端板５１には、高さ方向の中間下部を横断する２本の切目線５５に挟まれた引裂帯５５ａが設けられている。切目線５５は、鉤形の切目が断続するジッパー型とされ、引裂帯５５ａの中央部には、横向きＨ字状の切目を入れて切始部５５ｂが設けられている。
【０００４】
また、両方の側板５２には、切目線５５に続く２本の切目線５６に挟まれた引裂帯５６ａが斜め上方へ向けて設けられ、引裂帯５６ａは、天面の外フラップ５４との境界の中間部まで達している。切目線５６は、鉤状の切目が断続するジッパー型とされている。
【０００５】
また、側板５２と外フラップ５４の境界には、切目線５６に続く切目線５７が他方の端板１の上端まで入れられ、この端板５１と天面の内フラップ５３の境界には、全幅に亘って切目線５８が入れられている。切目線５７，５８は、稜部の罫線を跨ぐ斜めの切目が断続するものとされている。
【０００６】
上記包装箱の開封に際しては、切始部５５ｂから引裂帯５５ａを引っ張って切目線５５を切断し、続いて、引裂帯５６ａを引っ張って切目線５６を切断し、引裂帯５５ａ，５６ａの切取跡に手を入れて、その上方部分を引き上げ、切目線５７，５８を切断する。そして、切断箇所の下方のトレイ部分から上方の蓋部分を除去すると、前下がりに開口したトレイ部分から商品を露出させて展示できる。
【先行技術文献】
【特許文献】
【０００７】
【特許文献１】特開２０１１−２５５８９７号公報
【発明の概要】
【発明が解決しようとする課題】
【０００８】
しかしながら、上記のような包装箱では、開封用の切目線５５が一方の端板５１を全幅に亘って横断しているので、圧縮強度が著しく低下し、物流時に大きな積上荷重や衝撃荷重が作用すると、座屈等の変形が生じるおそれがあった。
【０００９】
また、開封に際し、引裂帯５５ａ，５６ａを引っ張って切目線５５，５６を切断し、さらに切目線５７，５８を切断しなければならず、手間がかかるほか、引裂帯５５ａ，５６ａのような切断片がゴミとして発生し、廃棄が煩わしくなるという問題があった。
【００１０】
そこで、この発明は、内容物である商品の視認性を開封状態において損なうことなく、包装状態での圧縮強度を確保でき、開封作業が容易で、廃棄処分も簡単な包装箱を提供することを課題とする。
【課題を解決するための手段】
【００１１】
上記課題を解決するため、この発明は、端板及び側板が各一対連設された周壁及び底壁を備え、端板の上辺から延びる内フラップ及び側板の上辺から延びる外フラップを折り曲げて封緘し、開封に際しては、端板を横断して周方向に及ぶ切目線を切断し、その下方のトレイ部分から上方の蓋部分を除去する包装箱において、前記端板の上辺に連設された内フラップには、端板との境界から切目線を入れて受止片が形成され、包装に際しては、受止片を残しつつ、内フラップを端板の内面に重ねて切目線を覆い底部へ達するように折り曲げ、外フラップを受止片で受け止めるものとしたのである。
【００１２】
また、前記端板の内面に重ねて折り曲げられる内フラップの側部には、根元から先端方向へ延びる側折線の外側部分に、根元が端板から切り離された折柱部が設けられ、包装に際しては、折柱部を斜め内側へ折り曲げ、外フラップを受止片に加えて折柱部の上端で受け止めるものとしたのである。
【００１３】
また、前記各一対の端板及び側板を高さ方向中間部で横断して切目線が入れられ、各一対の端板及び側板には、切目線の中間部に臨んで指入部が設けられると共に、指入部の付近から補助罫線が上方へＶ字状に広がるように入れられ、開封に際しては、指入部に臨む部分を引っ張ると、端板及び側板が補助罫線に沿って迫り出すように撓んで、切目線が切断されるものとしたのである。
【発明の効果】
【００１４】
この発明に係る包装箱では、包装状態において、横断する切目線が入れられた端板の内面に内フラップが重なるので、端板が補強されて、切目線に沿った座屈が生じにくくなるほか、受止片で受け止められた天面の外フラップの落ち込みが防止されるので、圧縮強度が確保され、物流時の積上荷重等による変形が防止される。
【００１５】
また、開封に際して、補強用の内フラップが蓋部分の一部としてトレイ部分から分離するので、容易に開封でき、切断に伴い、トレイ部分及び蓋部分から切り離された切断片が生じることもなく、廃棄に手間取ることもない。
【図面の簡単な説明】
【００１６】
【図１】この発明の第１実施形態に係る切断開封式包装箱のブランクを示す図
【図２】同上の包装状態を示す（ａ）斜視図、（ｂ）端部断面図
【図３】同上の開封過程を示す斜視図
【図４】同上の開封後のトレイ部分を示す斜視図
【図５】この発明の第２実施形態に係る切断開封式包装箱のブランクを示す図
【図６】同上の包装状態を示す斜視図
【図７】この発明の第３実施形態に係る切断開封式包装箱のブランクを示す図
【図８】同上の包装状態を示す斜視図
【図９】同上の開封状態を示す斜視図
【図１０】特許文献１記載の切断開封式包装箱の包装状態を示す斜視図
【発明を実施するための形態】
【００１７】
この発明に係る包装箱の第１実施形態を図１〜図４に基づいて説明する。
【００１８】
この包装箱は、商品の包装及び展示に兼用されるものであり、図１に示すように、段ボールを材料とした溝切型のブランクから形成される。このブランクでは、各一対の端板１及び側板２が交互に連設され、一方の端部に位置する側板２の外端に継代片３が連設されている。端板１の上辺及び下辺には、内フラップ４，５がそれぞれ連設され、側板２の上辺及び下辺には、外フラップ６，７がそれぞれ連設されている。
【００１９】
一対の側板２に挟まれて展示時に前面となる一方の端板１には、高さ方向の中間下部を全幅に亘って横断する切目線１１ａが入れられている。切目線１１ａは、１本の直線上に切目が断続するミシン目状のものとされている。
【００２０】
両方の側板２には、一方の端板１の切目線１１ａに続いて、横方向の中間部まで延びる切目線１２ａと、切目線１２ａに続いて他方の端板１側へ斜め上方へ延びる切目線１２ｂと、切目線１２ｂに続いて外フラップ６との境界沿いに他方の端部まで延びる切目線１２ｃとが入れられている。
【００２１】
切目線１２ａは、断続する各切目が屈曲部を介して湾曲した変形ジッパー型とされ、切目線１２ｃは、鉤形の切目が断続する通常のジッパー型とされている。切目線１２ｂは、ミシン目状とされている。
【００２２】
他方の端板１には、内フラップ４との境界の中央部から下方へミシン目状の切目線１３ａを入れて、その内側に指入部１３が形成され、指入部１３の両端から内フラップ４との境界に沿って両側方へ通常のジッパー型の切目線１１ｂが入れられている。
【００２３】
この端板１に連なる内フラップ４には、指入部１３の両端付近から２本の平行な補助罫線１３ｂが先端へかけて入れられ、補助罫線１３ｂは、段ボールの裏面側から押圧した押罫とされている。
【００２４】
また、前記一方の端板１に連なる内フラップ４は、根元から先端までの長さ寸法が端板１の高さ方向の寸法に対応する短いものとされ、この内フラップ４には、端板１との境界の中央部からミシン目状の切目線１４ａを入れて、その内側に受止片１４が形成されている。受止片１４の先端寄り部分には、補助罫線１４ｂが横方向に入れられ、受止片１４の補助罫線１４ｂより先端側は、Ｖ字状に突出した形状とされている。
【００２５】
このようなブランクは、各一対の端板１及び側板２を、対角となる２箇所の境界の罫線に沿って偏平に折り曲げ、継代片３を反対側の端板１の内面に貼り付けた折畳状態で、商品の製造業者等の使用者へ供給する。
【００２６】
そして、この包装箱を組み立てて商品を包装する際には、図２に示すように、各一対の端板１及び側板２を角筒状に折り曲げて周壁を形成し、内フラップ５及び外フラップ７を順次折り曲げて貼り合わせ、底壁を形成する。
【００２７】
次いで、一方の端板１に連なる短い内フラップ４において、受止片１４の先端部を補助罫線１４ｂに沿って屈曲するように押し込んで、受止片１４を引き起こした状態に保持しつつ、この内フラップ４を、端板１の内面に重ね、切目線１１ａを覆い底部へ達するように折り曲げ、上面の開口から商品を収納する。
【００２８】
そして、受止片１４を水平方向へ折り曲げると共に、他方の内フラップ４を水平方向へ折り曲げ、一対の外フラップ６を突き合わせるように水平方向へ折り曲げて、受止片１４及び他方の内フラップ４で受け止め、受止片１４及び他方の内フラップ４と外フラップ６とを貼り合わせ、天壁を形成して封緘された状態とする。
【００２９】
このように組み立てた包装状態では、切目線１１ａ，１２ａ，１２ｂ，１２ｃ，１１ｂが全周に亘って連続し、その下方が商品展示時に使用するトレイ部分２１となり、上方が除去する蓋部分２２となる。
【００３０】
このような包装状態で、商品を小売店へ配送し、店頭で商品を展示する際には、図３に示すように、指入部１３を押し込んで、これに連なる内フラップ４及びその上方の外フラップ６を引き上げ、切目線１１ｂを切断する。このとき、内フラップ４が補助罫線１３ｂに沿って盛り上がるように撓むので、切目線１１ｂの繋部に大きな引張力が作用し、切目線１１ｂを容易に切断することができる。
【００３１】
続いて、この内フラップ４及び外フラップ６をさらに引き上げると、切目線１２ｃ，１２ｂ，１２ａが切断され、その後、蓋部分２２を捻ると、切目線１１ａが切断されて、トレイ部分２１と蓋部分２２とが分離するので、トレイ部分２１から蓋部分２２を除去し、図４に示すように、トレイ部分２１に収容された商品Ｇを、前側に位置するものが低い位置まで見えるように露出させて展示することができる。
【００３２】
上記のような包装箱では、包装状態において、横断する切目線１１ａが入れられた一方の端板１の内面に内フラップ４が重なるので、端板１が補強されて、切目線１１ａに沿った座屈が生じにくくなるほか、天面の外フラップ６が一方の内フラップ４から起立する受止片１４及び他方の内フラップ４で受け止められて、外フラップ６の落ち込みが防止されるので、圧縮強度が確保され、物流時の積上荷重等による変形が防止される。
【００３３】
また、開封に際して、補強用の内フラップ４が蓋部分２２の一部としてトレイ部分２１から分離するので、容易に開封でき、切断に伴い、トレイ部分２１及び蓋部分２２から切り離された切断片が生じることもなく、廃棄に手間取ることもない。
【００３４】
次に、この発明に係る包装箱の第２実施形態を図５及び図６に基づいて説明する。ここでは、上記実施形態と同様の部分の説明は省略し、特徴点について述べる。
【００３５】
この包装箱は、図５に示すようなブランクから形成される。このブランクでは、切目線１１ａが入れられた端板１の上辺に連なる短い内フラップ４の両側部に、根元から先端方向へ延びる側折線４ａが入れられ、その外側部分に、根元が端板１から切り離された折柱部１５が設けられている。
【００３６】
この内フラップ４は、両隣の外フラップ６との間に、幅を有する溝ではなく、切目線のみを入れることにより、端板１より幅が大きく、両側が張り出すものとされている。側折線４ａは、表面側が窪む谷折りを可能とするため、押罫と切目とが交互に断続するリード罫とされている。また、継代片３の下端には、底側の内フラップ５の内面に貼り付けられる延長部３ａが設けられている。
【００３７】
このようなブランクを組み立てて商品を包装する際には、図６に示すように、折柱部１５を斜め内側へ折り曲げ、外フラップ６を受止片１４に加えて折柱部１５の上端で受け止める。このように組み立てると、折柱部１５を有する包装箱の稜部での圧縮強度が大きくなり、重量のある商品の包装にも対応することができる。
【００３８】
次に、この発明に係る包装箱の第３実施形態を図７〜図９に基づいて説明する。ここにおいても、上記実施形態と同様の部分の説明は省略し、特徴点について述べる。
【００３９】
この包装箱は、図７に示すようなブランクから形成される。このブランクでは、各一対の端板１及び側板２の高さ方向中間下部を横断するようにミシン目状の切目線１１ａ，１２ａが入れられ、これらの切目線１１ａ，１２ａの中間部に臨んで指入部１３が設けられている。指入部１３は、下辺がヒンジとなる逆台形状とされ、他の辺がミシン目状の切目線１３ａとされている。
【００４０】
そして、各一対の端板１及び側板２には、指入部１３の付近から補助罫線１３ｃが上方へＶ字状に広がるように入れられている。補助罫線１３ｃは、段ボールの裏面側から押圧した押罫とされている。
【００４１】
また、両方の端板１に連なる内フラップ４が共に、根元から先端までの長さ寸法を端板１の高さ方向の寸法と略同一としたものとされ、それぞれの内フラップ４に、ミシン目状の切目線１４ａを入れて受止片１４が形成されている。
【００４２】
このようなブランクを組み立てて商品を包装する際には、図８に示すように、両方の内フラップ４において、受止片１４を引き起こした状態に保持しつつ、これらの内フラップ４を端板１の内面に重ね、切目線１１ａを覆い底部へ達するように折り曲げる。
【００４３】
そして、両方の受止片１４を水平方向へ折り曲げ、一対の外フラップ６を突き合わせるように水平方向へ折り曲げて、両方の受止片１４で受け止め、受止片１４と外フラップ６とを貼り合わせ、天壁を形成して封緘された状態とする。
【００４４】
このような包装状態で、商品を小売店へ配送し、店頭で商品を展示する際には、各一対の端板１及び側板２の指入部１３を押し込んで、その抜出穴に指を入れ、抜出穴の上縁に臨む部分を外側へ引っ張り、切目線１１ａ，１２ａを切断する。このとき、端板１及び側板２は、補助罫線１３ｃに沿って迫り出すように撓むので、切目線１１ａ，１２ａの繋部に大きな引張力が作用し、切目線１１ａ，１２ａを容易に切断することができる。
【００４５】
そして、切目線１１ａ，１２ａの切断に伴い、図９に示すように、各一対の端板１及び側板２が上下に分割され、トレイ部分２１と蓋部分２２とが分離するので、トレイ部分２１から蓋部分２２を除去して、トレイ部分２１に収容された商品Ｇを、全周に亘って低い位置まで露出させた状態で展示することができる。
【００４６】
この第３実施形態に係る包装箱では、両方の端板１に横断する切目線１１ａが入れられているものの、包装状態において、両方の端板１の内面にそれぞれ内フラップ４が重なるので、端板１が補強されて、切目線１１ａに沿った座屈が生じにくくなるほか、天面の外フラップ６が受止片１４で受け止められて、外フラップ６の落ち込みが防止されるので、圧縮強度が確保され、物流時の積上荷重等による変形が防止される。
【００４７】
また、開封に際して、両方の内フラップ４が蓋部分２２の一部としてトレイ部分２１から分離するので、容易に開封でき、廃棄に手間取ることもない。
【００４８】
なお、上記各実施形態では、補強用の内フラップ４が端板１のほぼ全幅に亘って切目線１１ａを覆うものについて例示したが、内フラップ４が切目線１１ａを部分的に覆うものとしても、補強効果を得ることができる。
【００４９】
また、開封用の切目線１１ａ，１２ａ，１２ｂ，１２ｃ，１１ｂが周壁全周に亘るものを例示したが、これらが展示時に前面となる端板１から両方の側板２を経て、天面の外フラップ６を通り周方向に及ぶものとし、その内側部分である蓋部分２２を切除することにより、前面及び天面の一部が開口したトレイ部分２１から商品を露出させて展示するようにしてもよい。
【００５０】
また、包装箱の形式として、溝切型のいわゆるＡ式のものを例示したが、一方の側板から延びる蓋の先端部を他方の側板の内面に沿って差し込むいわゆるＢ式のものについても、上記のような構成を適用することができる。
【符号の説明】
【００５１】
１  端板
２  側板
３  継代片
３ａ  延長部
４，５  内フラップ
４ａ  側折線
６，７  外フラップ
１１ａ，１１ｂ  切目線
１２ａ，１２ｂ，１２ｃ  切目線
１３  指入部
１３ａ  切目線
１３ｂ，１３ｃ  補助罫線
１４  受止片
１４ａ  切目線
１４ｂ  補助罫線
１５  折柱部
２１  トレイ部分
２２  蓋部分
Ｇ  商品
【図１】
0006352100.tif 000002
【図２】
0006352100.tif 000003
【図３】
0006352100.tif 000004
【図４】
0006352100.tif 000005
【図５】
0006352100.tif 000006
【図６】
0006352100.tif 000007
【図７】
0006352100.tif 000008
【図８】
0006352100.tif 000009
【図９】
0006352100.tif 000010
【図１０】
0006352100.tif 000011